【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
外部装置とネットワーク経由で通信可能な撮像装置であって、
被写体を撮像する撮像手段と、
前記撮像手段で撮像された撮像画像に文字を重畳する重畳手段と、
前記重畳手段で重畳される文字に関する色を示す色情報を受信する受信手段と、
前記重畳手段で重畳される文字の輪郭色を前記受信手段で受信した色情報に基づいて設定する設定手段と、
を備えることを特徴とする撮像装置。
【請求項２】
前記設定手段は、前記重畳手段で重畳される文字の輪郭色を前記受信手段で受信した背景色の色に設定することを特徴とする請求項１に記載の撮像装置。
【請求項３】
前記設定手段は、前記重畳手段で重畳される文字の輪郭色を前記受信手段で受信した前景色に対応する色に設定することを特徴とする請求項１に記載の撮像装置。
【請求項４】
前記設定手段は、前記重畳手段で重畳される文字の輪郭色を前記背景色とは異なる色に設定することを特徴とする請求項１に記載の撮像装置。
【請求項５】
前記異なる色とは、前記受信手段で受信された色情報が示す前景色に対する補色であることを特徴とする請求項４に記載の撮像装置。
【請求項６】
前記設定手段は、前記重畳手段で重畳される文字の輪郭色を前記受信手段で受信した前景色及び背景色に対応する色に設定することを特徴とする請求項１に記載の撮像装置。
【請求項７】
外部装置とネットワーク経由で通信可能な撮像装置であって、
被写体を撮像する撮像手段と、
前記撮像手段で撮像された撮像画像に文字を重畳する重畳手段と、
前記重畳手段で重畳される文字に関する色情報を受信する受信手段と、
前記受信手段により受信された色情報に基づき、前記重畳手段を制御する制御手段と、を備え、
前記受信手段で受信される色情報には、前記重畳手段で重畳される文字の前景色、背景色及び輪郭色が別々に記述されていることを特徴とする撮像装置。
【請求項８】
外部装置とネットワーク経由で通信可能な撮像装置の制御方法であって、
被写体を撮像する撮像ステップと、
前記撮像ステップで撮像された撮像画像に文字を重畳する重畳ステップと、
前記重畳ステップで重畳される文字に関する色を示す色情報を受信する受信ステップと、
前記重畳ステップで重畳される文字の輪郭色を前記受信ステップで受信した色情報に基づいて設定する設定ステップと、
を備えることを特徴とする撮像装置の制御方法。
【請求項９】
外部装置とネットワーク経由で通信可能な撮像装置の制御方法であって、
被写体を撮像する撮像ステップと、
前記撮像ステップで撮像された撮像画像に文字を重畳する重畳ステップと、
前記重畳ステップで重畳される文字に関する色情報を受信する受信ステップと、
前記受信ステップにより受信された色情報に基づき、前記重畳ステップを制御する制御ステップと、
を備え、
前記受信ステップで受信される色情報には、前記重畳ステップで重畳される文字の前景色、背景色、及び輪郭色が別々に記述されていることを特徴とする撮像装置の制御方法。
【請求項１０】
外部装置とネットワーク経由で通信可能な撮像装置を制御するためのプログラムであって、
被写体を撮像する撮像ステップと、
前記撮像ステップで撮像された撮像画像に文字を重畳する重畳ステップと、
前記重畳ステップで重畳される文字に関する色を示す色情報を受信する受信ステップと、
前記重畳ステップで重畳される文字の輪郭色を前記受信ステップで受信した色情報に基づいて設定する設定ステップと、
をコンピュータに実行させることを特徴とするプログラム。
【請求項１１】
外部装置とネットワーク経由で通信可能な撮像装置を制御するためのプログラムであって、
被写体を撮像する撮像ステップと、
前記撮像ステップで撮像された撮像画像に文字を重畳する重畳ステップと、
前記重畳ステップで重畳される文字に関する色情報を受信する受信ステップと、
前記受信ステップにより受信された色情報に基づき、前記重畳ステップを制御する制御ステップと、
をコンピュータに実行させ、
前記受信ステップで受信される色情報には、前記重畳ステップで重畳される文字の前景色、背景色、及び輪郭色が別々に記述されていることを特徴とするプログラム。
【手続補正２】
【補正対象書類名】明細書
【補正対象項目名】０００７
【補正方法】変更
【補正の内容】
【０００７】
上記目的を達成するために、本発明の撮像装置は、外部装置とネットワーク経由で通信可能な撮像装置であって、被写体を撮像する撮像手段と、前記撮像手段で撮像された撮像画像に文字を重畳する重畳手段と、前記重畳手段で重畳される文字に関する色を示す色情報を受信する受信手段と、前記重畳手段で重畳される文字の輪郭色を前記受信手段で受信した色情報に基づいて設定する設定手段と、を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、本発明の撮像装置の制御方法は、外部装置とネットワーク経由で通信可能な撮像装置の制御方法であって、被写体を撮像する撮像ステップと、前記撮像ステップで撮像された撮像画像に文字を重畳する重畳ステップと、前記重畳ステップで重畳される文字に関する色を示す色情報を受信する受信ステップと、前記重畳ステップで重畳される文字の輪郭色を前記受信ステップで受信した色情報に基づいて設定する設定ステップと、を備えることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
また、上記目的を達成するために、本発明のプログラムは、外部装置とネットワーク経由で通信可能な撮像装置を制御するためのプログラムであって、被写体を撮像する撮像ステップと、前記撮像ステップで撮像された撮像画像に文字を重畳する重畳ステップと、前記重畳ステップで重畳される文字に関する色を示す色情報を受信する受信ステップと、前記重畳ステップで重畳される文字の輪郭色を前記受信ステップで受信した色情報に基づいて設定する設定ステップと、をコンピュータに実行させることを特徴とする。
【手続補正１２】
【補正対象書類名】明細書
【補正対象項目名】００１９
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】